(57)【要約】      （修正有）【課題】風を受けた時および風が止まった時のセイル角度および操縦者の姿勢変化を机上または水上で再現するウィンドサーフィン玩具を提供する。 【解決手段】タイヤ８またはセンターフィンを備えるボード３と、セイル１、ブーム２、マスト４、およびボードを貫通するマストの最下端に嵌合固定されるステー７からなるセイルアッセンブリと、両手をブームに固定し、受動的に屈伸する腕１５を持ち、足底棒状突起１４を貫通させるボードの上面に立つ人形１６と、セイル・人形角度復元機構と、により構成されるウィンドサーフィン玩具において、風を受けた時にセイルと一体的に回転するステーが、人形の足底棒状突起を押して発生するボードの足底棒状突起貫通穴を支点としたシーソー運動が人形を後傾姿勢にする。また、風が止まると、ステーとボード下面に両端を固定されたコイルばね等のセイル・人形角度復元機構によりセイルと人形は元の状態に復元される。【選択図】図１
0003233462.tif 000002
【実用新案登録請求の範囲】
【請求項１】
セイル、ブーム、ボードを垂直に貫通するマスト、および前記マスト最下端に嵌合固定される２個以上の穴を備えたステー、を備えるセイルアッセンブリと、前記ブームに固定される手、受動的に屈伸する腕、および足底に１個以上の棒状突起、を備える人形と、前記マスト下部が貫通する穴、前記人形の足底棒状突起が貫通する穴、および受動的に回転する３個以上のタイヤを備えたボード部と、からなるウィンドサーフィン玩具において、風を受けた時に前記セイルアッセンブリが前記マストを中心に一定角度まで回転し、前記人形が直立から後傾姿勢になるとともに進行方向に走り出し、風が止まると停止するとともに前記人形および前記セイルアッセンブリが元の位置に戻る、セイル・人形角度復元機構を備えるウィンドサーフィン玩具。
【請求項２】
前記セイル・人形角度復元機構は、一端を前記ステーの任意の位置に固定し他端を前記ボード下面の任意の位置に固定したコイルばねを備え、前記セイルアッセンブリの回転に伴う前記ステーの回転により、弾性変形した前記コイルばねが復元力を発生することにより、前記セイル・人形角度復元機構の動作を実現することを特徴とする請求項１記載のウィンドサーフィン玩具。
【請求項３】
前記ボード部は、前記タイヤの代わりにセンターフィンを前記ボード下面に１個以上備えたことを特徴とする請求項１および２記載のウィンドサーフィン玩具。
【考案の詳細な説明】
【技術分野】
【０００１】
本考案はウィンドサーフィン玩具に関する。
【背景技術】
【０００２】
これまで、ヨット玩具について特許・実用新案の出願はあったが、ウィンドサーフィン玩具に関する特許・実用新案の出願は無い。近年市販されているウィンドサーフィン玩具は、セイルとボードそして操縦者のミニチュアにより構成された、観賞用のフィギュアあるいは人形に分類されるものである。
【考案の概要】
【考案が解決しようとする課題】
【０００３】
本考案は、セイルが風を受けてマストを中心に一定角度回転し、同時に操縦者の人形が直立から後傾姿勢に変化するとともに、セイルに生ずる揚力の分力により進行方向に進み、風が止まると停止し、人形とセイルアッセンブリが元の状態に戻る、ウィンドサーフィン玩具を提供することを目的とする。
【課題を解決するための手段】
【０００４】
前記課題を解決し目的を達成するために、本考案のウィンドサーフィン玩具は次のように構成されている。
【０００５】
請求項１に記載の考案は、セイル、ブーム、ボードとステーのマスト貫通穴を垂直に貫通するマストの最下端部において前記ステーと前記マストを嵌合固定したセイルアッセンブリと、手を前記ブームに固定し、受動的に屈伸する腕を持ち、足底棒状突起を前記ボードと前記ステーの足底棒状突起貫通穴に貫通させて前記ボード上面に配置される人形と、３個以上のタイヤを備えるボード部との組み合わせにより、風を受けて前記セイルアッセンブリが前記マストを中心に一定角度回転すると同時に起こる前記ステーの回転により、前記人形が直立から後傾姿勢になり、前記セイルに生ずる揚力により進行方向に走り出し、風が止むと停止するとともに、前記セイルアッセンブリおよび前記人形が元の位置に戻るセイル・人形角度復元機構を備えるウィンドサーフィン玩具である。
【０００６】
請求項２に記載の考案は、セイル・人形角度復元機構が、一端をステーの任意の位置に固定し他端をボード下面の任意の位置に固定したコイルばねにより構成されることを特徴とする、請求項１に記載のウィンドサーフィン玩具である。
【０００７】
請求項３に記載の考案は、タイヤの代わりにボード部下面にセンターフィンを備えた、請求項１および２に記載のウィンドサーフィン玩具である。
【考案の効果】
【０００８】
本考案のウィンドサーフィン玩具は、風を受けてセイルが開くとともにボード上の人形が後傾姿勢になりタイヤが回転して走り出す。また、風が止むと、停止するとともにセイルは閉じて人形も直立姿勢に戻るなど、実際のウィンドサーフィンに近い動きを楽しむことができる。本考案のウィンドサーフィン玩具はタイヤを備えているため、簡単に机上で楽しむことのみならず、人間の口から風を発生させてセイル角度の変化の様子を観察し、セイルに生ずる揚力と進行方向の分力との関係を考える力学の学習教材としての活用をも可能にすることができる。また、タイヤの代わりにセンターフィンを装備したものは、浴槽に浮かべて楽しむことができるため、家族の交流を深める玩具としての用途を提供することができる。さらに、本考案のウィンドサーフィン玩具を、室内外の任意の場所に固定設置した場合、風の流れに応じて変化するオブジェとして、又は、室内の換気状態を示すインジケーターとしての用途を提供することができる。
【図面の簡単な説明】
【０００９】
【図１】本考案の実施例１のウィンドサーフィン玩具の側面図である。
【図２】本考案の実施例１のウィンドサーフィン玩具において、風が無い場合の人形とセイルアッセンブリの位置関係を表す、正面図（ａ）と、上面図（ｂ）、および、セイル・人形角度復元機構を説明する正面断面部分拡大図（ｃ）である。
【図３】本考案の実施例１のウィンドサーフィン玩具において、風を受けた走行時の人形とセイルアッセンブリの位置関係を表す、正面部分断面図（ａ）と、上面図（ｂ）、および、セイル・人形角度復元機構を示す正面断面部分拡大図（ｃ）である。
【図４】本考案の実施例１のウィンドサーフィン玩具において、セイル・人形角度復元機構の働きを説明するための、ステーを含むセイルアッセンブリとコイルばねの関係を示す図であり、風が無い場合の部分上面図（ａ）と、風を受けた時の部分上面図（ｂ）である。
【図５】本考案の実施例２のウィンドサーフィン玩具を示す側面図である。
【考案を実施するための形態】
【００１０】
以下、図面を用いて本考案の実施の形態を詳細に説明する。但し、以下に説明する実施例によって本考案の技術的範囲は何ら限定解釈されることはない。
【実施例１】
【００１１】
本考案の実施例１のウィンドサーフィン玩具は、図１に示すように、セイル１、ブーム２、ボード３を垂直に貫通するマスト４、およびマスト貫通固定用穴５と人形の足底棒状突起貫通穴６を備え前記マスト最下端に嵌合固定されるステー７、により構成されるセイルアッセンブリと、４個のタイヤ８、コイルばね９、コイルばね固定柱１０、マスト貫通穴１１、および人形の足底棒状突起貫通穴１２を備えたボード部と、両手１３をブーム２に固定し、２個の足底棒状突起１４を２個の足底棒状突起貫通穴１２に貫通させてボード３上面に立ち、受動的に屈伸する腕１５を持つ人形１６と、の組み合わせで構成される。マスト４はボード３の下に落下せずにセイルアッセンブリ全体が抵抗なく回転するようにストッパーリング１７が嵌合固定されている。タイヤ８は、図２に示すように、左右の２個が軸１８で連結され、軸受け１９でボード３に固定されている。
【００１２】
図２は、風の無い静止時の実施例１のウィンドサーフィン玩具の状態を示す。無風時は、人形１６は腕１５が屈曲して直立状態であり（ａ）、セイル１は進行方向２０に対して閉じた状態（ｂ：ボード３の長軸方向に対するセイル１の角度が０度）である。
【００１３】
この時、（ｃ）に示すように、ボード３の足底棒状突起貫通穴１２とステー７の足底棒状突起貫通穴６の位置が垂直方向に揃うため、足底棒状突起１４は垂直に保たれ、人形１６が直立姿勢となる。
【００１４】
図３は、風を受けた時の実施例１のウィンドサーフィン玩具の状態を示す。（ａ）および（ｂ）に示すように、セイル１は進行方向２０に対して開いた状態（ボード３の長軸方向に対するセイル１の角度が３０〜４５度程度）となり、人形の手１３がブーム２に固定されているため、腕１５が伸展される。
【００１５】
この時、ステー７がセイル１およびブーム２とともにマスト４を中心に回転するため、図３（ｃ）に示すように、ステー７の足底棒状突起貫通穴６を貫通する足底棒状突起１４を押し倒す力が加わる。その結果、足底棒状突起１４と一体の人形１６が、ボード３の足底棒状突起貫通穴１２を支点としてシーソー運動を起こし、図３（ａ）に示すように後傾姿勢となる。
【００１６】
図３（ｂ）に示すセイル角度の場合、セイル１の面に垂直に生ずる揚力は、ボード３の進行方向２０の分力を生み、タイヤ８が回転して本考案の実施例１のウィンドサーフィン玩具は走り出すこととなる。
【００１７】
風を受けた時のセイルアッセンブリの回転角度を制御するためには、いくつか方法がある。例えば、ボード３の足底棒状突起貫通穴１２の形状により足底棒状突起１４の動きを制限する、人形１６の後傾に伴い腕１５が伸びきりブーム２の動きを制限する、ボード３の下面にステー７の回転制限柱を設ける、などの方法がある。
【００１８】
図４は、風が無い時（ａ）、風を受けた時（ｂ）、のセイル・人形角度復元機構の働きを説明する図である。セイル・人形角度復元機構は、主にステー７とコイルばね９で構成され、コイルばね９の両端を固定する固定用突起２１と固定柱１０がそれぞれステー７とボード３下面に備えられている。ここでは、ステー７とコイルばね９の状態変化を強調するため、セイル１とブーム２は破線で表示している。
【００１９】
セイル１の面に対するステー７の角度と、マスト貫通固定用穴５−人形の足底棒状突起貫通穴６間の距離と、足底棒状突起貫通穴６の直径は、適切なセイル１の回転角度および人形１６の適切な後傾角度をもたらすように設定される。
【００２０】
風が無い時（図４ａ）には、セイル１が閉じた状態であり、コイルばね９には力が加わっていないためコイルばね９は直線形状を保つ。
【００２１】
風を受けた時（図４ｂ）には、セイル１はボード３の長軸方向に対し３０〜４５度程度に開いた状態になる。この時、ステー７も同時にマスト４を中心に回転するため、一端がステー７のコイルばね固定用突起２１に固定されたコイルばね９はＳ字形に弾性変形する。
【００２２】
弾性変形したコイルばね９には復元力が生じるため、風が無くなった時にはそのコイルばね９の復元力により図４（ａ）に示す元の人形１６およびセイルアッセンブリの位置の状態に復元される。
【実施例２】
【００２３】
図５は、本考案の実施例２のウィンドサーフィン玩具を示すものであり、タイヤ８の代わりにセンターフィン２２をボード３下面に備える。この場合、ボード３を中空構造にし、内部にセイル・人形角度復元機構を内蔵することができる。さらに、直進性を向上させるために船尾にテイルフィン２３を追加することもできる。
【００２４】
また、センターフィン２２はボード３の下面中央に１個配置するか、又は、左右の側面に２個配置することもできる。後者の場合、本考案の実施例２のウィンドサーフィン玩具を机上等に傾くことなく置くことを可能にし、設置および保管を容易にすることができる。
【００２５】
本考案の実施例１および２のウィンドサーフィン玩具の各パーツの材質については制限が無く、プラスチック、木材、金属など、適宜適切なものを選択することができる。
【符号の説明】
【００２６】
１    セイル
２    ブーム
３    ボード
４    マスト
５    マスト貫通固定用穴
６    足底棒状突起貫通穴
７    ステー
８    タイヤ
９    コイルばね
１０  コイルばね固定柱
１１  マスト貫通穴
１２  足底棒状突起貫通穴
１３  手
１４  足底棒状突起
１５  腕
１６  人形
１７  ストッパーリング
１８  軸
１９  軸受け
２０  進行方向
２１  コイルばね固定用突起
２２  センターフィン
２３  テイルフィン
【図１】
0003233462.tif 000003
【図２】
0003233462.tif 000004
【図３】
0003233462.tif 000005
【図４】
0003233462.tif 000006
【図５】
0003233462.tif 000007